(57)【要約】本発明は、基地局の資源割り当ての正確率を高めることができるセル間干渉コーディネーション情報の処理方法及び装置を提供している。当該方法は、セルの縁領域ユーザが所定の時間間隔内に占める資源ブロックの数を確定することと、前記セルの干渉コーディネーション情報の中に前記数と同様であるビットの値を１と設定することと、前記セルの縁領域ユーザの専属資源の範囲により、前記ビット値が１であるビットを所定の拡張順番により帯域幅にて配列することと、セルが前記隣合うセルに干渉コーディネーション情報を送信することと、を含む。
2013527724.tif 000002
【特許請求の範囲】
【請求項１】
セル間干渉コーディネーション情報の処理方法であって、
セルの縁領域ユーザが所定の時間間隔内に占める資源ブロックの数を確定することと、
前記セルの干渉コーディネーション情報の中に前記数と同様であるビットの値を１に設定することと、
前記セルの縁領域ユーザの専属資源の範囲により、前記ビット値が１であるビットを、所定の拡張順番に従い、帯域幅において配列することと、
前記セルが隣合うセルに前記干渉コーディネーション情報を送信することと、
を含むことを特徴とするセル間干渉コーディネーション情報の処理方法。
【請求項２】
前記セルの縁領域ユーザが前記所定の時間間隔内に占める資源ブロックの数を確定することは、
所定の時間区間内に前記セルの縁領域ユーザが占める資源ブロックの総数を統計することと、
前記総数を用い前記セルの縁領域ユーザが所定の時間間隔内に平均に占める資源ブロックの数を計算することと、
を含むことを特徴とする請求項１に記載の方法。
【請求項３】
前記所定の時間間隔は伝送時間間隔であることを特徴とする請求項１又は２に記載の方法。
【請求項４】
前記セルが前記隣合うセルに前記干渉コーディネーション情報を送信することは、
前記干渉コーディネーション情報と前回得られた干渉コーディネーション情報の中の対応するビットと順番に比較することと、
２つのビットマップの中の値が異なるビットの数が閾値を超えた場合、前記隣合うセルに前記干渉コーディネーション情報を送信することと、
を含むことを特徴とする請求項１に記載の方法。
【請求項５】
前記セルは、本セルの干渉コーディネーション情報と前記隣接するセルからの干渉コーディネーション情報により資源の割り当てをすることをさらに含むことを特徴とする請求項１又は４に記載の方法。
【請求項６】
前記セルは、所定の時間区間内に受信した前記隣合うセルからの干渉コーディネーション情報を統計し、前記隣合うセルからの前記干渉コーディネーション情報を得ることを特徴とする請求項５に記載の方法。
【請求項７】
前記セルが所定の時間区間内に受信した前記隣合うセルからの干渉コーディネーション情報を統計することは、
前記セルが、所定の時間区間内に受信した前記隣合うセルからの干渉コーディネーション情報に対して、ビットに従い加算及び/又は重みつけて加算することを含むことを特徴とする請求項６に記載の方法。
【請求項８】
前記セルの縁領域ユーザの専属資源の範囲により、前記ビット値が１であるビットを所定の拡張順番に従い帯域幅にて配列することは、
前記セルと同一基地局にある他の２つの隣合うセルとの縁領域ユーザの専属資源が相違する周波数範囲を占めることと、
セルの縁領域ユーザの専属資源が帯域幅のもっとも左側の周波数範囲を占めているセルの干渉コーディネーション情報の中に、第１の所定資源ブロックに対応するビットが１であり、他のビットが０であり、その中、前記第１の所定資源ブロックが本セルの縁領域ユーザの専属資源が小さいから大きいへとの順番により配列されてからの前のＮ個目の資源ブロックであり、Ｎが本セルの縁領域ユーザが所定の時間間隔内に占める資源ブロックの数であることと、
セルの縁領域ユーザの専属資源が帯域幅の中間の周波数範囲を占めているセルの干渉コーディネーション情報の中に、前記第２の所定資源ブロックに対応するビットが１であり、他のビットが０であり、その中、前記第２の所定資源ブロックは本セルの縁領域ユーザの専属資源が真ん中から両側へとの順番により配列されてからの後ろＮ個目の資源ブロックであることと、
セルの縁領域ユーザの専属資源が帯域幅の第３帯域を占めている周波数範囲を有するセルの干渉コーディネーション情報の中に、前記第３の所定資源ブロックに対応するビットが１であり、他のビットが０であり、その中、前記第３の所定資源ブロックが本セルの縁領域ユーザの専属資源が大きいものから小さいものへの順番により配列されてからの真ん中のＮ個目の資源ブロックであることと、
を含むことを特徴とする請求項１に記載の方法。
【請求項９】
基地局の媒体アクセス制御層に位置するセル間干渉コーディネーション情報の処理装置であって、
セルの縁領域ユーザが所定の時間間隔内に占める資源ブロックの数を確定するように設置される資源デ−タ統計モジュールと、
前記セルの干渉コーディネーション情報の中に前記数と同様であるビットの値を１に設定し、前記セルとその隣合うセルの縁領域ユーザの専属資源の範囲により前記セルの干渉コーディネーション情報の中の値が１であるビットを所定の拡張順番に従い、帯域幅にて配列するように設置される干渉コーディネーション情報生成モジュールと、
前記隣合うセルに前記干渉コーディネーション情報を送信する干渉コーディネーション情報送信モジュールと、
を含むことを特徴とするセル間干渉コーディネーション情報の処理装置。
【請求項１０】
前記隣合うセルからの干渉コーディネーション情報を受信するように設置される干渉コーディネーション情報受信モジュールをさらに含むことを特徴とする請求項９に記載の装置。
【発明の詳細な説明】
【技術分野】
【０００１】
本発明は通信分野に関し、具体的には、セル間干渉コーディネーション情報の処理方法及び装置に関するものである。
【背景技術】
【０００２】
長期的進化（Ｌｏｎｇ  Ｔｅｒｍ  Ｅｖｏｌｕｔｉｏｎ、ＬＴＥと略称）下り物理層は直交周波数分割多重（Ｏｒｔｈｏｇｏｎａｌ  Ｆｒｅｑｕｅｃｙ  Ｄｉｖｉｓｉｏｎ  Ｍｕｌｔｉｐｌｅｘｉｎｇ  、ＯＦＤＭと略称）技術を採用し、資源に対して周波数と時間の２次元により分割をする。ＬＴＥシステムにおいて、各セルは、利用可能なすべての帯域幅を利用することにより、セルのスループット率を大いに高めている。
【０００３】
ネットワーク構築から考えて、ＯＦＤＭは、セル間の内部加入者の間の信号が直交であるように確保できるため、セル内部の加入者による干渉を効果的に回避することができる。しかし、隣接するセルの周波数範囲が同じであるため、セル間の干渉は依然として存在し、特にセルの縁領域のユーザ（Ｃｅｌｌ  Ｅｄｇｅ  Ｕｓｅｒ、ＣＥＵと略称）にとって、そもそもその信号が弱いので、隣接するセルの縁領域のユーザも同様な帯域が割り当てられたら、強いセル間干渉になってしまうことになる。
【０００４】
現在、セル間干渉の処理方法として、干渉解消、干渉ランダム化及び干渉コーディネーションがある。その中、干渉解消は、ユーザ側にてゲインを処理することにより干渉抑圧を行うものである。干渉ランダム化は干渉信号をランダム化にすることにより干渉抑圧を行うものである。干渉コーディネーション（Ｉｎｔｅｒ-Ｃｅｌｌ  Ｉｎｔｅｒｆｅｒｅｎｃｅ  Ｃｏｏｒｄｉｎａｔｉｏｎ、ＩＣＩＣと略称）の核心は複数のセル間資源を合理的に割り当てることにより、隣接するセルの縁領域のユーザの資源をなるべく直交させるようにして、隣接するセルの縁領域ユーザの干渉を低減するものである。干渉コーディネーションの使用は柔軟的で、実現が簡単で、且つ效果が理想的であるため、セル間干渉処理技術の主流となっている。
【０００５】
ＩＣＩＣは静態（Ｓｔａｔｉｃ）ＩＣＩＣ、動態（Ｄｙｎａｍｉｃ）ＩＣＩＣ及び半静態（Ｓｅｍｉ  Ｓｔａｔｉｃ  ）ＩＣＩＣがあり、その中、静態干渉コーディネーション（Ｓｔａｔｉｃ  ＩＣＩＣ）は資源に対する制限が多く、周波数選択などのパフォーマンスに対する影響が大きく、動態干渉コーディネーションはシグナリングのスループットが大きく、基地局間シグナリング交換の遅延が長い。一方、半静態干渉コーディネーションは、ある程度で静態ＩＣＩＣと動態ＩＣＩＣの欠点を克服することができる。半静態干渉コーディネーションの要点は、基地局間がＸ２インターフェースを介してセル間のロード情報（Ｌｏａｄ  Ｉｎｆｏｒｍａｔｉｏｎ）を伝送し、隣合うセルの資源占用情報を取得して、本セルの資源割当ての依拠とする。
【０００６】
既存のプロトコルにより、ロード情報は主に、セル情報、ソースセルのセルＩＤ、上り高干渉表示（Ｈｉｇｈ  Ｉｎｔｅｒｆｅｒｅｎｃｅ  Ｉｎｄｉｃａｔｉｏｎ、ＨＩＩと略称）情報、下り相対的狭帯域送信電力（Ｒｅｌａｔｉｖｅ  Ｎａｒｒｏｗｂａｎｄ  Ｔｘ  Ｐｏｗｅｒ、ＲＮＴＰと略称）情報、上り過負荷表示（Ｏｖｅｒｌｏａｄ  Ｉｎｄｉｃａｔｉｏｎ、ＯＩと略称）情報が含まれる。その中、ＲＮＴＰ情報は、所定資源エレメント（Ｒｅｓｏｕｒｃｅ  Ｅｌｅｍｅｎｔ 、ＲＥと略称）における電力に対する測定によって生成することであり、この場合に、物理層が測定に対応するＲＥの電力の大きさにより報告し、基地局が当該報告した値によりＲＮＴＰ情報ビットの計算及びＲＮＴＰ情報の生成をする。このような生成方法は、物理層により測定しＭＡＣ層に報告したＲＥ当りの送信電力（Ｅｎｅｒｇｙ  Ｐｅｒ  、ＥＰＲＥと略称）の正確性に依存している。また、現在物理層の測定及び報告した送信電力は、その正確性を確保することができないため、資源の割り当ての正確性に影響をもたらすことになる。
【発明の概要】
【発明が解決しようとする課題】
【０００７】
本発明は、少なくとも上記課題を解決するために、セル間干渉コーディネーションの処理方法を提供することを主な目的としている。
【課題を解決するための手段】
【０００８】
本発明の一つの方面によると、セルの縁領域ユーザが所定の時間間隔内に占める資源ブロックの数を確定することと、前記セルの干渉コーディネーション情報の中に前記数と同様であるビットの値を１に設定することと、前記セルの縁領域ユーザの専属資源の範囲により、前記ビット値が１であるビットを、所定の拡張順番に従い、帯域幅において配列することと、前記セルが隣合うセルに前記干渉コーディネーション情報を送信することとを含むセル間干渉コーディネーション情報の処理方法を提供している。
【０００９】
前記セルの縁領域ユーザが前記所定の時間間隔内に占める資源ブロックの数を確定することは、所定の時間区間内に前記セルの縁領域ユーザが占める資源ブロックの総数を統計することと、前記総数を用い前記セルの縁領域ユーザが所定の時間間隔内に平均に占める資源ブロックの数を計算することと、を含むことが好ましい。
【００１０】
前記所定の時間間隔は伝送時間間隔であることが好ましい。
【００１１】
前記セルが前記隣合うセルに前記干渉コーディネーション情報を送信することは、前記干渉コーディネーション情報と前回得られた干渉コーディネーション情報の中の対応するビットと順番に比較することと、２つのビットマップの中の値が異なるビットの数が閾値を超えた場合、前記隣合うセルに前記干渉コーディネーション情報を送信することとを含むことが好ましい。
【００１２】
前記セルは、本セルの干渉コーディネーション情報と前記隣接するセルからの干渉コーディネーション情報により資源の割り当てをすることをさらに含むことが好ましい。
【００１３】
前記セルは、所定の時間区間内に受信した前記隣合うセルからの干渉コーディネーション情報を統計し、前記隣合うセルからの前記干渉コーディネーション情報を得ることが好ましい。
【００１４】
前記セルが所定の時間区間内に受信した前記隣合うセルからの干渉コーディネーション情報を統計することは、前記セルが、所定の時間区間内に受信した前記隣合うセルからの干渉コーディネーション情報に対して、ビットに従い加算及び/又は重みつけて加算することを含むことが好ましい。
【００１５】
前記セルの縁領域ユーザの専属資源の範囲により、前記ビット値が１であるビットを所定の拡張順番に従い帯域幅にて配列することは、前記セルと同一基地局にある他の２つの隣合うセルとの縁領域ユーザの専属資源が相違する周波数範囲を占めることと、セルの縁領域ユーザの専属資源が帯域幅のもっとも左側の周波数範囲を占めているセルの干渉コーディネーション情報の中に、第１の所定資源ブロックに対応するビットが１であり、他のビットが０であり、その中、前記第１の所定資源ブロックが本セルの縁領域ユーザの専属資源が小さいから大きいへとの順番により配列されてからの前のＮ個目の資源ブロックであり、Ｎが本セルの縁領域ユーザが所定の時間間隔内に占める資源ブロックの数であることと、セルの縁領域ユーザの専属資源が帯域幅の中間の周波数範囲を占めているセルの干渉コーディネーション情報の中に、前記第２の所定資源ブロックに対応するビットが１であり、他のビットが０であり、その中、前記第２の所定資源ブロックは本セルの縁領域ユーザの専属資源が真ん中から両側へとの順番により配列されてからの後ろＮ個目の資源ブロックであることと、セルの縁領域ユーザの専属資源が帯域幅の第３帯域を占めている周波数範囲を有するセルの干渉コーディネーション情報の中に、前記第３の所定資源ブロックに対応するビットが１であり、他のビットが０であり、その中、前記第３の所定資源ブロックが本セルの縁領域ユーザの専属資源が大きいものから小さいものへの順番により配列されてからの真ん中のＮ個目の資源ブロックであることと、を含むことが好ましい。
【００１６】
本発明のもう一つの方面によると、セルの縁領域ユーザが所定の時間間隔内に占める資源ブロックの数を確定するように設置される資源デ−タ統計モジュールと、前記セルの干渉コーディネーション情報の中に前記数と同様であるビットの値を１に設定し、前記セルとその隣合うセルの縁領域ユーザの専属資源の範囲により前記セルの干渉コーディネーション情報の中の値が１であるビットを所定の拡張順番に従い、帯域幅にて配列するように設置される干渉コーディネーション情報生成モジュールと、前記隣合うセルに前記干渉コーディネーション情報を送信する干渉コーディネーション情報送信モジュールと、を含む基地局の媒体アクセス制御層に位置するセル間干渉コーディネーション情報の処理装置を提供している。
【００１７】
前記隣合うセルからの干渉コーディネーション情報を受信するように設置される干渉コーディネーション情報受信モジュールをさらに含むことが好ましい。
【００１８】
本発明によると、セルの縁領域ユーザの所定の時間間隔内に占める資源ブロックの数を確定し、当該セルの干渉コーディネーション情報の中の前記数と同様であるビットの値を１と設定し、当該セルの縁領域ユーザの専属資源の範囲により、ビット値が１に設定されたビットを所定の拡張順番により帯域幅にて配列して、当該セルが前記隣合うセルに干渉コーディネーション情報を送信することで、関連技術における基地局が物理層により測定し、報告された情報によりＲＮＴＰ情報を生成し、資源割り当ての正確性に影響をもたらすという課題を解決し、基地局の資源割り当ての正確性を高め、セル間の干渉を低減している。
【図面の簡単な説明】
【００１９】
【図１】本発明の実施例に係わるセル間干渉コーディネーション情報の処理方法を示すフローチャート図である。
【図２】本発明の実施例に係わるＲＮＴＰ生成過程において、異なるセルのＲＮＴＰビットマップの拡張方向を示す図である。
【図３】本発明の実施例に係わるセル間干渉コーディネーション情報の処理装置の構造ブロック図である。
【図４】本発明の実施例に係わるセル間干渉コーディネーション情報の処理装置の構造ブロック図である。
【図５】本発明の実施例２に係わるＲＮＴＰ生成過程のフローチャート図である。
【図６】本発明の実施例２に係わるＲＮＴＰの受信過程のフローチャート図である。
【図７】本発明の実施例２に係わる装置の構造ブロック図である。
【図８】本発明の実施例５に係わるＲＮＴＰ生成過程において、相違するセルのＲＮＴＰビットマップ方向を示す図である。
【発明を実施するための形態】
【００２０】
以下に記載の図面は、本発明をさらに理解するために提供され、本願の一部を構成し、本発明の好適の実施例及びその説明は本発明を解釈するものであり、本発明を限定するものではない。
【００２１】
以下、図面を参照し、実施例を結び合わせて、本発明を詳しく説明する。なお、本願の実施例および実施例の特徴は、衝突がない場合には、互いに組み合わせることが可能である。
【００２２】
実施例１
本実施例は、セル間干渉コーディネーション情報処理方法を提供している。図１は本発明の実施例に係わるセル干渉コーディネーション情報の処理方法のフローチャート図である。当該プロセスは以下のようなステップが含まれる。
【００２３】
ステップＳ１０２について、セルの縁領域ユーザの所定時間間隔内に占める資源ブロック（Ｒｅｓｏｕｒｃｅ  Ｂｌｏｃｋ、Ｂｌｏｃｋ、ＲＢと略称）の数を確定する。
【００２４】
ステップＳ１０４について、当該セルの干渉コーディネーション情報の中に上記数と同様であるビットの値を１に設定する。
【００２５】
ステップＳ１０６について、当該セルの縁領域ユーザの専属資源の範囲により、当該セルの干渉コーディネーション情報の中にビット値が１であるビットを所定の拡張順番に従い帯域幅にて配列する。
【００２６】
ステップＳ１０８について、当該セルが隣合うセルに干渉コーディネーション情報を送信する。
【００２７】
上記ステップにより、セルは媒体アクセス制御（Ｍｅｄｉａ  Ａｃｃｅｓｓ  Ｃｏｎｔｒｏｌ、ＭＡＣと略称）層の資源ブロックの数により、干渉コーディネーション情報（例、ＲＮＴＰ情報、ＨＩＩ情報）を生成することで、物理層により測定し報告するにより情報を生成することに伴う問題が解決されていた。
【００２８】
ステップＳ１０２において、所定の時間区間内に、当該セルの縁領域ユーザの占める資源ブロックの総数を統計し、前記総数で当該セルの縁領域ユーザの所定時間間隔内に平均して占める資源ブロックの数を計算することが好ましい。なお、ステップＳ１０２の「所定の時間区内」とは、実際の状況により確定することができる。当該時間区間を採用する目的は、ある時間間隔のセルの縁領域ユーザの平均して占める資源ブロックの数を計算するためである。例えば、ある統計時間区間（５０又は１００ＴＴＩという伝送時間間隔の整数倍を用いることができる）内に、セルの縁領域ユーザに占められたＲＢの総数を統計して、当該統計時間区間に伝送時間間隔（Ｔｒａｎｓｍｉｓｓｉｏｎ  Ｔｉｍｅ  Ｉｎｔｅｒｖａｌ、ＴＴＩと略称）をいくつ含むかを計算して、個々のＴＴＩ内のセルの縁領域ユーザの占めるＲＢ数の平均値が得られる。
【００２９】
ステップＳ１０８において、まず判断して、次に当該干渉コーディネーション情報を送信するか否かを決定することが好ましい。例えば、今回得られた干渉コーディネーション情報と前回得られた干渉コーディネーション情報における対応するビットと順次に比較して、２つのビットマップの中の値が異なっているビットの数が閾値を超えた場合、隣合うセルに今回の干渉コーディネーション情報を送信することができる。
【００３０】
当該セルはさらに、隣合うセルからの干渉コーディネーション情報を受信し、本セルの干渉コーディネーション情報と隣合うセルの干渉コーディネーション情報により資源の割り当てをすることが好ましい。例えば、当該セルは、所定の時間区間内に受信した隣合うセルからの干渉コーディネーション情報を統計し（例えば、当該所定時間内に受信した隣合うセルから送信された干渉コーディネーション情報に対してビットにより加算又は重みつけて加算する）、前記隣合うセルからの干渉コーディネーション情報を得る。なお、ここの「所定の時間区間」は実際の状況により選択することができ、１０個又は２０個のＴＴＩであってもよい。
【００３１】
以下、同一基地局の３つのセルを例として説明する。同一基地局にとって、セルと２つの隣合うセルの縁領域ユーザの専属資源の占める周波数範囲が異なっている。その中、セルの縁領域ユーザの専属資源帯域幅の最も左側の周波数範囲のセルの干渉コーディネーション情報の中に、第１の所定資源ブロックに対応するビットが１であり、他のビットが０であり、その中、第１の所定資源ブロックは本セルの縁領域ユーザの専属資源が小さいから大きいへとの順番により配列されてからの前のＮ個目の資源ブロックであり、Ｎは本セルの縁領域ユーザが所定の時間間隔内に占める資源ブロックの数である。セルの縁領域ユーザの専属資源が帯域幅の中間帯域の周波数範囲のセルの干渉コーディネーション情報の中に、第２の所定資源ブロックに対応するビットが１であり、他のビットが０であり、その中、第２の所定資源ブロックは本セルの縁領域ユーザの専属資源が真ん中から両側へとの順番により配列されてからの後ろＮ個目の資源ブロックである。セルの縁領域ユーザの専属資源が帯域幅の第３帯域の周波数範囲のセルの干渉コーディネーション情報の中に、第３の所定資源ブロックに対応するビットが１であり、他のビットが０であり、その中、第３の所定資源ブロックは、本セルの縁領域ユーザの専属資源が大きいものから小さいものへの順番により配列されてからの真ん中のＮ個目の資源ブロックである。以下、図２を結び合わせて、ＲＮＴＰの生成を例として説明する。
【００３２】
図２は本発明の実施例に係わるＲＮＴＰ生成過程において、相違するセルのＲＮＴＰビットマップの拡張方向を示す図であり、当該図は周波数が３つの区間に分けられ、中心専属帯域ＩＣがない場合を示す図である。図２に示すように、背景がある部分は、本セルの縁領域ユーザの専属帯域ＯＣであり、背景がない部分は、本セルの中心領域のユーザの利用可能な資源ＢＣを二分したものである。３つのセルは基地局の３つのセクタ、即ちセクタ１、セクタ２及びセクタ３であることとする。
【００３３】
最初のＲＮＴＰの情報ビットは以下のように生成する。
2013527724.tif 000003
なお、前記算式は、縁領域専属資源が[０,ＯＣ]領域に事前割り当てられたセクタ１のみに適合し、縁領域専属資源が[ＯＣ，２ＯＣ]に事前割り当てられたセクタ２について、ＲＮＴＰビットマップは本セルＯＣ資源が真ん中から両側へ拡張することであり、算式が前記算式と類似して、説明を省略する。縁領域専属資源が[２ＯＣ，３ＯＣ]に事前割り当て事前割り当てられたセクタ３に対して、ＲＮＴＰ情報は大きいものから小さいものへと拡張する。拡張方向を設ける目的は、資源割り当てのフラグメンテーションを最大限に減少するためである。
【００３４】
図３は本発明の実施例に係わるセル間干渉コーディネーション情報の処理装置の構造ブロック図であり、当該装置は基地局の媒体アクセス制御層に位置する。図３に示すように、当該装置は、資源デ−タ統計モジュール３２と、干渉コーディネーション情報生成モジュール３４、及び干渉コーディネーション情報送信モジュール３６が含まれ、以下、これについて説明する。
【００３５】
資源デ−タ統計モジュール３２は、セルの縁領域ユーザが所定の時間間隔内に占める資源ブロックの数を確定する。干渉コーディネーション情報生成モジュール３４は資源デ−タ統計モジュール３２に接続し、当該セルの干渉コーディネーション情報に上記数と同様で、値が１であるビットを設け、当該セルと隣合うセルの縁領域ユーザの専属資源の範囲により、当該セルの干渉コーディネーション情報の中にビット値が１であるビットを所定の拡張順番に従い帯域幅にて配列し、周波数にて互いにずれて配列する。干渉コーディネーション情報送信モジュール３６は、干渉コーディネーション情報生成モジュール３４に接続し、隣合うセルに送信干渉コーディネーション情報を送信する。
【００３６】
図４は本発明の実施例に係わるセル間干渉コーディネーション情報の処理装置の構造ブロック図である。図４に示すように、当該装置は、隣合うセルからの干渉コーディネーション情報を受信するように設置される干渉コーディネーション情報受信モジュール４２をさらに含む。
【００３７】
実施例２
本実施例は、物理層により報告されたＥＰＲＥに依存せずに、ＭＡＣ層によりＲＮＴＰ情報を生成し、処理する方法及び装置を提供している。本実施例は、実施例１及びその好適実施例を統合したものである。なお、上りＨＩＩ情報も同じプロセスにより生成することができるが、以下、ＲＮＴＰ情報生成を例として説明し、ＨＩＩの生成について、本実施例において繰り返して説明しない。
【００３８】
図５は本発明の実施例２に係わるＲＮＴＰ生成過程のフローチャート図であり、該プロセスは以下のステップを含む。
ステップＳ５０1について、所定の統計周期になるまで各セルのＴＴＩごとに、セルの縁領域ユーザが占めているＲＢの数を統計する。統計周期になっていない場合、当該ステップを継続し、当該ＲＢの数が累加し続け、そうでない場合、ステップＳ５０２に進む。
【００３９】
ステップＳ５０２について、当該統計時間区間内の各セルの各ＴＴＩにおいて平均して縁領域ユーザに占められているＲＢの数を計算する。
【００４０】
ステップＳ５０３について、所定の縁領域ユーザのセル専属資源（ＯＣ）の範囲、及び各セルの各ＴＴＩ平均の縁領域ユーザの占めるＲＢの数により、本セルのＲＮＴＰ  Ｐｅｒ  ＰＲＢ（Ｐｈｙｓｉｃａｌ  ＲＢ）情報（以下、ＲＮＴＰ情報と略称）を生成する。
【００４１】
ステップＳ５０４について、今回生成したＲＮＴＰ  Ｐｅｒ  ＰＲＢ情報とこの前の統計周期に本セルのＲＮＴＰ  Ｐｅｒ  ＰＲＢ情報と比較して、２回のＲＮＴＰ  Ｐｅｒ  ＰＲＢ情報の相違するビット数が所定の閾値ＲＮＴＰＤｉｆｆＴｈｐを超えた場合、ステップＳ５０５を実行して、当該情報を隣り合うセルに送信し、そうでない場合、送信しなく、且つ本周期内のＲＮＴＰ  Ｐｅｒ  ＰＲＢ情報をビットによりクリアして次の統計周期に入ることの準備をする。ＲＮＴＰＤｉｆｆＴｈｐは０であるとデフォルトして、本周期のＲＮＴＰ情報が更新されるか否かにもかかわらず、隣合うセルに送信することを表すことも可能であるように、実際の需要に応じて調整することができるが、調整する範囲は大きいとも実際の帯域幅に対応するＲＢ数を超えないことが好ましい。
【００４２】
図６は本発明の実施例２に係わるＲＮＴＰ受信過程のフローチャート図であり、該プロセスは以下のようなステップを含む。
【００４３】
ステップＳ６０１について、ＲＮＴＰの統計受信周期を定義し、タイマーを定義する。
【００４４】
ステップＳ６０２について、各セルの各ＴＴＩごとに隣合うセルからのＲＮＴＰ情報があるか否かをチェックし、ある場合、隣り合うセルからのＲＮＴＰ情報を受信し、隣り合うセルのＩＤをメモする。
【００４５】
ステップＳ６０３について、受信したＲＮＴＰ情報と前回に受信したＲＮＴＰ情報とに対して、例えば、加算、重みつけ加算などの処理をして、ＲＮＴＰの受信統計周期になったか否かを判断し、なっていない場合、当該ステップを継続し、なった場合、次のステップに進む。
【００４６】
ステップＳ６０４について、受信したＲＮＴＰの上記方法により処理して得られたＲＮＴＰ干渉指示と本セルのＲＮＴＰ  Ｐｅｒ  ＰＲＢ情報により、資源ビットマップの更新をして、資源割り当てモジュールに出力する。本セルの資源位置割り当てモジュールは本セルのＲＮＴＰ  Ｐｅｒ  ＰＲＢ情報および隣り合うセルのＲＮＴＰ干渉指示により資源の割り当てを行う。
【００４７】
図７は本発明の実施例２に係わる装置の構造ブロック図であり、図７に示すように、当該装置は、資源数統計モジュール、ＲＮＴＰ情報生成モジュール、ＲＮＴＰ情報送信モジュール及びＲＮＴＰ情報受信モジュールを含む。当該装置はeＮＢのＭＡＣ層に位置する。
【００４８】
資源数統計モジュールは、後続のＲＮＴＰ  Ｐｅｒ  ＰＲＢ情報生成のために各セルの縁領域ユーザの資源占用状況について周期的に統計をとるものである。
【００４９】
ＲＮＴＰ情報生成モジュールは、資源数統計モジュールにより統計された資源占用数と所定の縁領域ユーザ専属資源（ＯＣ）の範囲によりＲＮＴＰ  Ｐｅｒ  ＰＲＢビットマップ情報の生成をするものであり、その中、ＯＣ資源は、セルによってセルの帯域幅の異なる周波数範囲に位置する。ＲＮＴＰ  Ｐｅｒ  ＰＲＢビットマップ情報は本セルの縁領域ユーザの占用しようとする位置を表し、PＲＢが位置情報であり、ＲＮＴＰが占用標識であり、１が占用、０が占用しないことを表す。
【００５０】
ＲＮＴＰ情報送信モジュールは、新しく生成したＲＮＴＰ情報とこの前回の統計周期のＲＮＴＰ情報により、ビットに従い比較をして、相違するビットの数が所定のＲＮＴＰ送信閾値を超えた場合、２回の統計結果が大きい区別が生じて、縁領域ＵＥの資源占用状況が大きく変化したことを表すため、今回新たなＲＮＴＰ情報の送信をし、そうでない場合、２回の結果の差異が小さくて、資源割り当てに対する影響が大きくなく、シグナリングを節約するために、送信しないポリシーを取る。
【００５１】
ＲＮＴＰ情報受信モジュールは、複数の隣り合うセルからのＲＮＴＰ情報が同一時刻に本セルに到達しないことを考慮して、統計受信周期内に隣合うセルのＲＮＴＰ情報を巡回して受信するものであり、統計周期が終了してから、ビットにより加算した後のＲＮＴＰ情報を資源割り当てモジュールに参考として出力する。
【００５２】
本実施例によると、ＲＮＴＰの生成は物理層により報告されたＥＰＲＥの影響を受けず、物理層の電力測定及び報告が正確ではないことに制限されなくなっている一方、ＣＥＵにより割り当てられたＲＢに基づきＲＮＴＰを生成するポリシーは、縁領域ユーザの占める資源の多少及び比率を通して、現在セルの各資源位置における本セルの縁領域ユーザの資源状況を直接反映するのみならず、隣合うセルの縁領域が本セルの資源位置において干渉があるか否か、及び干渉の強さを正確且つ直接に反映することができ、資源位置割り当てに対する調整及び影響は正確的である。
【００５３】
実施例３
本実施例に提供されるＲＮＴＰの生成処理のフレーは以下の通りである。
各下りサブフレームは、ＣＥＵが保証ビットレート（Ｇｕａｒａｎｔｅｅｄ  Ｂit  Ｒａｔｅ、ＧＢＲと略称）に満足するために必要とするＲＢの数
2013527724.tif 000004
をメモする。その中、
2013527724.tif 000005
である。
ＤＩＲｎｔｐＲｐｔＩｎｔｅｒｖａｌはＲＮＴＰの報告周期であり、ＵＩＯＩＲｐｔＩｎｔｅｒｖａｌ（上りＯＩの報告周期）またはその整数倍にデフォルトとする。このように、Ｌｏａｄ  Ｉｎｄｉｃａｔｉｏｎの交換を減少することができる。ＫサブフレームにてスケジューリングされるＣＥＵがない場合、
2013527724.tif 000006
である。
【００５４】
一つの周期において縁領域ＵＥ（ＣＥＵ）のＧＢＲに満足するために割り当てられたＲＢ数
2013527724.tif 000007
は、当該周期は１００個のＴＴＩにすることをデフォルトする：
2013527724.tif 000008
，即ち、統計周期における各セルの縁領域ＵＥが占めるＲＢ数を積算し、各ＴＴＩにおいて縁領域ＵＥのＧＢＲに満足するために必要とする平均ＲＢ数
2013527724.tif 000009
を計算する。
2013527724.tif 000010
その中、
2013527724.tif 000011
はＲＮＴＰの報告周期内の下りサブフレームの数である。
【００５５】
ＲＮＴＰの情報は以下のように生成する。
2013527724.tif 000012
その中、当該算式に関する説明は、縁領域専属資源が[０,ＯＣ]領域に事前割り当てられたセクタ１のみに適合し、縁領域専属資源が[ＯＣ，２ＯＣ]に事前割り当てられたセクタ２について、ＲＮＴＰビットマップは本セルＯＣ資源が真ん中から両側へ拡張することであり、縁領域専属資源が[２ＯＣ，３ＯＣ]に事前割り当て事前割り当てられたセクタ３に対して、ＲＮＴＰ情報は大きいものから小さいものへと拡張する。拡張方向を設ける目的は、資源割り当てのフラグメンテーションを最大限に減少するためである。
【００５６】
2013527724.tif 000013
と
2013527724.tif 000014
とを比較して、
2013527724.tif 000015
の場合、
2013527724.tif 000016
は最終的に隣合うセルに送信するＲＮＴＰである。ＲＮＴＰＤｉｆｆＴｈｒｅｓｈｏｌｄが所定の閾値であり、当該パラメータを設ける目的は、ＲＮＴＰが２回の報告の間に大きな変化がない場合、ＲＮＴＰの送信を減少するためである。当該パラメータのデフォルト値は０である場合は、２回の比較結果を問わず、今回生成したＲＮＴＰ情報を隣合うセルに送信することを表す。当該パラメータは必要に応じて調整できるが大きいとも下り帯域幅のＲＢ数を超えない。
【００５７】
次回の比較のため、
2013527724.tif 000017
にする。ＲＮＴＰの受信処理アルゴリズムは本セルが受信した隣合うセルからのＲＮＴＰ情報を分析することに用いる。
【００５８】
ＲＮＴＰの受信処理プロセスは以下の通りである。
相違する隣合うセルは、同時にＲＮＴＰを送信するとは限らないため、ＲＮＴＰの処理周期
2013527724.tif 000018
を定義する。１０のＴＴＩとデフォルトする。ＴＴＩの数は必要に応じて調整することができるが、多くとも２０個を超えない。周期タイマーによりＲＮＴＰの下記処理プロセスをトリガーする。
【００５９】
各ＴＴＩごとに隣合うセルからのＲＮＴＰ情報を読取り、メモする。ＲＮＴＰの処理周期
2013527724.tif 000019
になっていない場合、隣合うセルのＲＮＴＰ情報を読取り続ける。
【００６０】
受信したＲＮＴＰをビットで「加算」操作をしたＲＮＴＰ指示は、
2013527724.tif 000020
で表示される。
2013527724.tif 000021
その中、
2013527724.tif 000022
は、隣合うセル（ｃｅｌｌ ＩＤ）から本セルに送信したＲＮＴＰである。
2013527724.tif 000023
は隣合うセルｃｅｌｌ ＩＤの集合である。ここの加算の方法は、受信した隣合うＲＮＴＰ情報を如何に操作するかを説明する一例に過ぎず、唯一の処理方法ではない。
【００６１】
今回のＲＮＴＰ情報の統計処理を終了し、資源ビットマップの更新をする。
【００６２】
干渉コーディネーションにおいて帯域の割り当てによって、ＲＮＴＰの生成及びその拡張方向が異なっている場合がある。本実施例をなるべく詳しく説明するために、以下、実施例４と実施例５を通してさらに説明する。
【００６３】
実施例４
事前に割り当てた周波数範囲が３つの区間に分けられ、且つ下りＲＮＴＰ情報に対して生成及び処理することとする。図２に示すように、周波数が３つの区間に分けられ、中心専属帯域ＩＣがない場合を示す図である。図２に示すように、背景がある部分は本セルの縁領域ユーザの専属帯域ＯＣであり、背景がない部分は本セルの中心領域ユーザの占用可能な資源ＢＣを二分したものである。
【００６４】
帯域が事前に割り当てられた場合、縁領域ユーザの数が少なく、セルの負荷が軽く、ＧＢＲ要求が高くなく、縁領域ユーザが占める資源が少なくて、縁領域ユーザの専属資源範囲ＯＣを超えないような簡単なシーンを例として考える。このようなシーンにおいて、ＲＮＴＰ生成処理のプロセスは以下の通りである。
【００６５】
各セルは、各下りサブフレームにおいて、セル内の縁領域ユーザがＧＢＲに満足するために必要とするＲＢの数をメモし、統計周期に満足しない場合、統計し続け、且つＲＢ数に対して加算をする。統計周期になった場合、各セルの各ＴＴＩ平均の縁領域ＵＥに割り当てたＲＢの数を求め、当該セルの縁領域ＵＥの平均のＧＢＲ満足状況により、当該ＲＢ数を調整し、最終的に得られた当該ＲＢ数がＮｒｂであるとして、各セクタが自分のＮｒｂ値を維持する。
【００６６】
縁領域ユーザのニーズが大きくない場合に、一つの基地局の３つのセクタに対して異なる帯域にて、ＲＮＴＰビットマップ情報の生成をする。第１のセクタについて、[０,ＯＣ]帯域幅にて左から右へとＮｒｂ個ビットを１にして、ＯＣ-Ｎｒｂ個のビットが残された場合、それを０にする。同様に、第２のセクタに対して、[ＯＣ、２ＯＣ]帯域幅にて、真ん中から（ＯＣ×３/２）両側へとそれぞれＮｒｂ/２個のビットを拡張し、拡張されたビットを１にし、残りのビットがある場合、０にする。同様に、第３のセクタに対して、[２ＯＣ、３ＯＣ]帯域幅にて、右から左へそれぞれＮｒｂのビットを拡張し、拡張されたビットを１にし、そうでない場合、０にする。
【００６７】
現在のシーンでは、各セルは、各自の縁領域ユーザ専属資源範囲ＯＣ内において、縁領域ユーザのニーズに満足することができるため、資源の割り当てをする際に、これらの位置を縁領域に割り当て、他の位置を中心領域に割り当てるようにして、セル縁領域の間が周波数において互いにずれていて、干渉コーディネーションの目的を達成している。
【００６８】
実施例５
図８は本発明の実施例５に係わるＲＮＴＰ生成過程において、異なるセルのＲＮＴＰビットマップ拡張方向を示す図であり、当該図は周波数が４つの区間に分けられ、中心専属帯域ＩＣがある場合を示す図である。その中、事前割り当てられた周波数範囲が４つの区間に分けられ、且つ送信情報は上りＨＩＩであることとする。スラッシュ背景がある部分が本セルの縁領域ユーザの専属帯域ＯＣであり、横線背景のある部分が中心領域ユーザの占用可能及び本セルの縁領域ユーザセルの縁領域ユーザの借用可能な資源である。ＯＣ専属帯域が縁領域ユーザのニーズに満足できる場合、ＢＣ部分の資源がすべて本セルの中心領域ユーザに割り当て、ＩＣがセルの中心領域ユーザに専属する。
【００６９】
上記帯域が事前に割り当てられた場合、縁領域ユーザの数が多く、セルの負荷が重く、ＧＢＲ要求が高く、縁領域ユーザの占める資源が多くて、縁領域ユーザの専属資源範囲ＯＣを超えた場合の複雑なシーンを例として考える。このようなシーンにおいて、ＨＩＩの生成及び処理のプロセスは以下の通りである。
【００７０】
各セルは、各下りサブフレームにて、セルの縁側領域ユーザがＧＢＲに満足するために必要とするＲＢ数を記録し、統計周期に満足しない場合、統計し続け、且つＲＢ数に対して加算をする。統計周期になった場合、次のステップに進む。
【００７１】
各小区の各ＴＴＩ平均の縁領域ＵＥに割り当てたＲＢ数を求め、当該セル縁領域ＵＥ平均のＧＢＲの満足状況により、当該ＲＢ数を調整する。最終的に得られた当該数がＮｒｂであるとして、核セクタは各自のＮｒｂ値を維持し、次のステップに進む。
【００７２】
縁領域ユーザのＲＢに対するニーズが大きい場合、一つの基地局の３つのセクタに対して異なる帯域にて、ＨＩＩビットマップ情報の生成をする。第１のセクタについて、[０,ＯＣ]帯域幅にて左から右へとＮｒｂ個のビットを１にして、この場合、Ｎｒｂは、右へ拡張しＯＣの範囲を突破して、第２のセクタの専属資源範囲に入る場合があり、極端な例として、第３のセクタ専属資源範囲に入る場合もある。同様に、第２のセクタに対して、[ＯＣ、２ＯＣ]帯域幅にて、真ん中（ＯＣ×３/２）から両側へとそれぞれＮｒｂ/２個のビットを拡張し、拡張されたビットを１にし、それが両側へそれぞれ[ＯＣ,２ＯＣ]の制限を突破して、第１のセクタと第３のセクタの縁領域ユーザの専属資源範囲に入る場合がある。同様に、第３のセクタに対して、[ＯＣ、２ＯＣ]帯域幅にて、右から左へとＮｒｂ個のビットを拡張し、拡張されたビットを１にし、そうでない場合、０にする。同様に、１にしたビットが第２と第１のセクタの縁領域ユーザの専属資源範囲まで拡張する場合がある。
【００７３】
この場合、各セルが資源を縁領域ユーザに割り当てる際に、以下のような２つの情報を考慮しなければならないため、スケジューリングポリシーが少々複雑になる。１つ目は、本セルのＨＩＩビットマップ情報指示であり、指示が１であるビットは本セルの占用しようとする資源位置を表し、隣り合うセルが本セルの当該ＨＩＩビットマップ情報を受信したとき、この位置を縁領域ユーザに割り当てることを避けるべきである。２目は、本セルが受信した隣り合うセルからのＨＩＩ情報に対する処理であり、ビットにより和を重ね合わせることを例として、当該情報は隣り合うセルから送信したＨＩＩ情報が本領域の対応する資源位置における重ね合わせであり、重ね合わせた和が大きいほど、隣り合うセルの縁領域が当該位置に対する影響が大きいこと表し、本セルが資源割り当てをする際にこれらの位置を縁領域ユーザに割り当てることを特に避けるべきである。
【００７４】
現在のシーンにおいて、各セルが各自の縁領域ユーザの専属資源範囲ＯＣ内に縁領域ユーザのニーズに満足できず、各セルの専属資源の間に重なりの領域があり、干渉が必然として存在する。このとき、資源割り当ては干渉指示に従い、小さいから大きいへとの原則により割り当てる資源を探し、セル縁領域の間の周波数の干渉が大きい領域をなるべく避け、干渉を制御することを図る。
【００７５】
上述のように、本発明の上記実施例において生成したＲＮＴＰとＨＩＩ情報がセルのセル間干渉により資源割り当てをするポリシーに影響を生じるため、セル間干渉のコーディング及び資源の合理的割り当てが図られる。
【００７６】
言うまでもなく、上述した本発明の各モジュールまたはステップは、汎用のコンピュータ装置により実現することができ、単一のコンピュータ装置に集成してもよいし、複数のコンピュータ装置からなるネットワークに配置してもよい。また、コンピュータ装置が実行可能なプログラムコードにより実現されてもよい。これにより、記憶装置に記憶されてコンピュータ装置により実行されることができる。そして、ある場合に、ここの順番で実行された又は示したステップ、或いは、それぞれ各々の集積回路モジュールに作成したり、それらの中の複数のモジュールまたはステップを単一の集積回路モジュールに作成したりして実現することができる。このように、本発明は、いずれの特定のハードウェアとソフトウェアの組み合わせにも限定されない。
【００７７】
以上は、本発明の好適な実施例に過ぎず、本発明を限定するものではない。当業者であれば、本発明の様々な変更や変形が可能である。本発明の精神や原則を逸脱しないいずれの変更、置換、改良なども本発明の保護範囲内に含まれる。
【図１】
2013527724.tif 000024
【図２】
2013527724.tif 000025
【図３】
2013527724.tif 000026
【図４】
2013527724.tif 000027
【図５】
2013527724.tif 000028
【図６】
2013527724.tif 000029
【図７】
2013527724.tif 000030
【図８】
2013527724.tif 000031
【国際調査報告】
2013527724.tif 000032
2013527724.tif 000033
2013527724.tif 000034
2013527724.tif 000035